(57)【要約】【課題】  画像サイズの減少、通信時間の短縮および分割時の無駄ページ削除を目的としている。【解決手段】  送信時に画像処理を施す際に、第一にページ単位に所定のライン数毎に分割し、最終ページのライン数が所定のライン数以下の場合には、ページ単位の所定ライン数を増加させ、最終ページのライン数が所定のライン数以上になるようにすること、第二に、ページ単位の所定ライン数の限界に達した場合に、変倍率を変更して、分割し、最終ページのライン数が所定のライン数以上になるようにする。【選択図】        図５
2005223702.tif 000002
【特許請求の範囲】
【請求項１】
原稿を所望の解像度で読み取り、画像データを生成する読み取り手段と、
読み取った画像データを蓄積するための画像データ蓄積手段と、
蓄積した画像データに色空間変換処理、二値化処理、回転、変倍、符号変換等の変換を施す画像処理手段と、
画像データを送信に適した通信データに変換するデータ変換手段と、
通信データを遠隔の通信機に送信する通信手段と、
遠隔の受信機の能力を取得する手段と、を設けた通信装置であって、
前記読み取り手段で読み取った画像に対して、受信機側の能力により、分割するか否かを判断する分割決定手段と、前記分割決定手段が分割すると判断した場合に、ページ単位に所定のライン数毎に分割する分割数決定手段と、前記分割数決定手段により決定した最終ページのライン数が所定のライン数以下の場合に、前記ページ単位の所定ライン数を増加させ、最終ページのライン数が所定のライン数以上になるように、通信データを作成することを特徴とする通信装置。
【請求項２】
請求項１の通信装置において、ページ単位の所定ライン数を一定以上増加させたのち、最終ページのライン数が所定のライン数以上にならない場合は、最終ページのライン数が所定のライン数以上になるように変倍率を変更して、通信データを作成することを特徴とする請求項１に記載の通信装置。
【請求項３】
請求項２の通信装置において、前記通信手段により、画像データを受信する手段と、前記読み取り手段により生成した画像と、受信した画像とを識別する、画像種別識別手段と、をさらに設け、オペレータに送信指示された画像が受信した画像である場合は、前記変倍率変更を行わないことを特徴とする請求項２に記載の通信装置。
【請求項４】
請求項１または２の通信装置において、特に受信機側の能力が公知のＩＴＵ−Ｔ勧告のＤＩＳフレームであり、分割決定手段が、ＤＩＳフレームのＢＩＴ１９およびＢＩＴ２０（最大記録長の能力）であることを特徴とする請求項１または２に記載の通信装置。
【発明の詳細な説明】
【技術分野】
【０００１】
本発明は、通信装置、特にファクシミリ機能やインターネットファクシミリ機能を有する通信装置に関する。
【背景技術】
【０００２】
従来、公衆電話網（ＰＳＴＮ）等既存の通信回線に接続可能なファクシミリ機能を有する通信装置が知られており、この種の通信装置では、スキャナから読み取った画像を公衆電話網（ＰＳＴＮ）を介して受信機に電送し、記録紙に出力する、或いは所定のメモリに格納する機能を備えている。
【０００３】
ファクシミリ原稿の標準の解像度は、Ａ４サイズの場合、主走査方向で８画素／ｍｍ、副走査方向で３．８５ライン／ｍｍである。送信側で読み取られた原稿は二値化され、標準解像度では、１ラインあたり１７２８画素の画像データに変換される。画像データはさらにＭＨ，ＭＲ，ＭＭＲ等の符号化方式で圧縮符号化され、符号データとして、受信側に送信される。受信側では、符号化データを復号化し、画素データとして再現され、記録紙やメモリに記録される。
【０００４】
ファクシミリ装置では、スキャナの読み取り部を固定して、紙を送ってスキャンする（流し読みと称する）のが一般的であるため、紙の長さに応じて画像のライン数が変化するのが一般的である。従って、受信側でも記録紙はロール紙等を用いて、任意の画像サイズを記録する装置が一般的であった。しかしながら近年、複写機ベースのファクシミリ装置が普及している。複写機ベースのファクシミリ装置では、記録紙にＡ４／Ｂ４といったカット紙を用いる。このため、送信側で副走査方向に長い紙（長尺紙と称する）を使用した場合、受信側で画像を分割して印字していた。そこで近年、送信側と受信側で能力交換を行う際に、受信側にカット紙がセットされていることを通知するようになり、送信側でカット紙にあわせて長尺画像を切って送信することが求められている（特許文献１）。
【特許文献１】特開平５−１４６７９号公報
【発明の開示】
【発明が解決しようとする課題】
【０００５】
しかしながら、定型紙より長い長尺画像を送信する場合に、定型サイズに分割していった場合に、最後ページに情報量が非常に少ない画像が残ってしまい、無駄に通信時間および記録紙を浪費してしまうという問題が生じる。たとえば、画像の下端には通常、余白がつけられており、これを分割していった結果、白だけのページを余分に送信してしまうと、分割の結果であるか、記録装置の異常であるか判断できないという問題も生じる。
【０００６】
〔発明の目的〕
本発明は、上記問題を鑑みてなされたもので、送信時に画像処理を施す際に、第一にページ単位に所定のライン数毎に分割し、最終ページのライン数が所定のライン数以下の場合には、ページ単位の所定ライン数を増加させ、最終ページのライン数が所定のライン数以上になるようにすること、第二に、ページ単位の所定ライン数の限界に達した場合に、変倍率を変更して、分割し、最終ページのライン数が所定のライン数以上になるようにすることで、画像サイズの減少、通信時間の短縮および分割時の無駄ページ削除ができる通信装置の提供を目的としている。
【課題を解決するための手段】
【０００７】
上記目的を達成するため、本発明の通信装置は以下（１）〜（４）の構成を備える。
【０００８】
（１）原稿を所望の解像度で読み取り、画像データを生成する読み取り手段と、
読み取った画像データを蓄積するための画像データ蓄積手段と、
蓄積した画像データに色空間変換処理、二値化処理、回転、変倍、符号変換等の変換を施す画像処理手段と、
画像データを送信に適した通信データに変換するデータ変換手段と、
通信データを遠隔の通信機に送信する通信手段と、
遠隔の受信機の能力を取得する手段と、を設けた通信装置であって、
前記読み取り手段で読み取った画像に対して、受信機側の能力により、分割するか否かを判断する分割決定手段と、前記分割決定手段が分割すると判断した場合に、ページ単位に所定のライン数毎に分割する分割数決定手段と、前記分割数決定手段により決定した最終ページのライン数が所定のライン数以下の場合に、前記ページ単位の所定ライン数を増加させ、最終ページのライン数が所定のライン数以上になるように、通信データを作成することを特徴とする。
【０００９】
（２）前記（１）の通信装置において、ページ単位の所定ライン数を一定以上増加させたのち、最終ページのライン数が所定のライン数以上にならない場合は、最終ページのライン数が所定のライン数以上になるように変倍率を変更して、通信データを作成することを特徴とする。
【００１０】
（３）前記（２）の通信装置において、前記通信手段により、画像データを受信する手段と、前記読み取り手段により生成した画像と、受信した画像とを識別する、画像種別識別手段と、をさらに設け、オペレータに送信指示された画像が受信した画像である場合は、前記変倍率変更を行わないことを特徴とする。
【００１１】
（４）前記（１）または（２）の通信装置において、特に受信機側の能力が公知のＩＴＵ−Ｔ勧告のＤＩＳフレームであり、分割決定手段が、ＤＩＳフレームのＢＩＴ１９およびＢＩＴ２０（最大記録長の能力）であることを特徴とする。
【発明の効果】
【００１２】
本発明の通信装置によれば、第一に受信機側の能力により、分割するか否かを判断する分割決定手段と、前記分割決定手段が分割すると判断した場合に、ページ単位に所定のライン数毎に分割する分割数決定手段と、前記分割数決定手段により決定した最終ページのライン数が所定のライン数以下の場合に、前記ページ単位の所定ライン数を増加させ、最終ページのライン数が所定のライン数以上になるように、通信データを作成すること、第二にページ単位の所定ライン数の限界に達した場合に、変倍率を変更して、分割し、最終ページのライン数が所定のライン数以上になるようにすることで、画像サイズの減少および、通信時間の短縮および分割時の無駄ページ削除ができるという効果を奏する。
【発明を実施するための最良の形態】
【００１３】
図１は、本発明の第１の実施形態に係る画像処理システムの概略構成を示すブロック図である。
【００１４】
以下本発明の一実施の形態を図面に基づき説明する。図１は、本発明の第１の実施形態に係る通信装置のシステム概略構成を示すブロック図である。
【００１５】
図１の内容について説明する。本実施例による通信装置１０１は、ローカルエリアネットワーク（ＬＡＮ）１０２に接続され、同時に、公衆電話網（ＰＳＴＮ）１０３にも接続されている。ＬＡＮ１０２には、複数のワークステーション（情報処理端末）１０４が接続されている。また、公衆電話網１０３には、インターネット接続サービスを提供するプロバイダ１０６や、インターネットファクシミリ装置／ファクシミリ装置１０５などが接続されている。
【００１６】
図２は、本発明の通信装置の構成を説明するブロック図である。図２の各構成部は、システムバス２０１及び画像バス２１０に接続されている。ＲＯＭ２０２はブートＲＯＭであり、システムのブートプログラムが格納されている。また本発明の各手段を実現するシステムソフトウェアはＲＯＭ２０２または、蓄積メモリ２０５に記憶されており、ＣＰＵ２０３で実行される。ＲＡＭ２０４は、ＣＰＵ２０３がソフトウェアを実行するためのシステムワークメモリエリアであり、画像データを処理する際に一時記憶するための画像メモリでもある。
【００１７】
蓄積メモリ２０５は、ファクシミリ符号データや、画像データ、システムソフトウェアなどが記憶される。ＬＡＮ（ローカルエリアネットワーク）Ｉ／Ｆ部２０６は、ＬＡＮと接続するためのＩ／Ｆ部でありＬＡＮに接続された各機器との情報の入出力を行う。回線Ｉ／Ｆ部２０７は、ＩＳＤＮや公衆電話網に接続され、ＲＯＭ２０２内の通信制御プログラムにより制御され、ＩＳＤＮＩ／Ｆやモデム、ＮＣＵ（ネットワーク・コントロール・ユニット）を介して遠隔の端末にデータを送受信する機能が搭載されている。また回線Ｉ／Ｆ部２０７では、画像データの圧縮伸張処理機も含まれている。
【００１８】
以上のデバイスがシステムバス２０１上に配置される。ＩＯ制御Ａ部２０９は、システムバス２０１と画像データを高速で転送する画像バス２１０を接続し、システムバス２０１データ構造を変換するバスブリッジである。画像バス２１０は、ＰＣＩバスまたはＩＥＥＥ１３９４で構成される。画像バス２１０上には以下のデバイスが配置される。画像入出力デバイスである読み取り部２１４やプリンタ部２１３と画像処理部２１１を接続し、画像データの同期系／非同期系の変換を行う。画像処理部２１１は、入力及び出力画像データに対し補正、加工、編集を行う。画像回転圧縮伸長部２１２は画像データの回転、圧縮伸長、２値多値間の変換、ＪＰＥＧ、ＪＢＩＧ、ＭＲ、ＭＭＲなどの圧縮伸張処理を行う。また画素密度変換部２１５では、画像密度変換の処理を行う。ＩＯ制御Ｂ部２０８は、操作部（ＵＩ＝Ｕｓｅｒ  Ｉｎｔｅｒｆａｃｅ）２１６とのインターフェース部で、操作部２１６に表示する画像データを操作部２１６に対して出力する。また、操作部２１６から本システム使用者が入力した情報を、ＣＰＵ２０３に伝える役割をする。表示装置やキーパッド装置を搭載する操作部２１６をソフトウェアが制御するためのＩ／Ｆ部である。尚、本発明の送信時分割のアルゴリズムを実現する処理プログラムは、ＲＯＭ２０２および／または蓄積メモリ２０５に格納され、ＣＰＵ２０３によって実行される。
【００１９】
図３は、本発明の通信装置を制御するソフトウェアの動作概要を説明するブロック図である。蓄積メモリ２０５には、スキャンや受信によって生成された、ユーザが送信したい画像の符号データが蓄積されている。送信ジョブが開始されると、まず符号データの画像情報を読み出し、元の画像情報として画像メモリ３０３に関連づけて保持する。次にこの符号データを一定サイズ毎に、ＲＡＭ２０４によって構成される一時読み出しメモリ３０１に読み出し、回転圧縮伸長部２１２によって復号処理３０２が行われ、復号データはＲＡＭ２０４によって構成される画像メモリ３０３に書き出される。この際に余白付けも同時に行う。逐次符号データを処理し、すべての符号データの処理が終わると、次に画像メモリ３０３に関連づけて保持している画像情報から回転が必要な画像か否かを判断し、必要に応じて回転圧縮伸長部２１２によって回転処理３０４を行う。回転した場合は、回転後画像データを画像メモリ３０５に保存するとともに、回転後の画像情報を画像メモリ３０５に関連づけて保持しておく。ここで回線を接続し、相手機の能力を問い合わせる。送信側が送信したい画像データの用紙サイズや解像度と、相手機が受信可能なサイズ、解像度が異なる場合、変倍率決定処理３０６にて、相手機の受信能力にあわせて最適な変倍率を決定し、決定した変倍率にて、画素密度変換部２１５によって構成される変倍処理３０７を行い、変倍後の画像データを画像メモリ３０８に書き込むとともに、変倍後の画像データを画像メモリ３０８に関連づけて保持しておく。なお、本発明の送信分割アルゴリズムは、変倍率決定処理に含まれる。次に、ソフトウェア処理にて、画像メモリ３０８を符号化しながら、一時書き込みメモリ３１０に書き込み、回線Ｉ／Ｆ部２０７に転送する。また符号化の際には、必要に応じて、余白付け、余白削り、ヘッダ文字列の画像への展開などが行われる。回線Ｉ／Ｆ部では、一時書き込みメモリ３１０から読み取った符号データを内蔵圧縮伸長機にて復号化し、受信機側の能力に応じて再度符号化処理し、符号データを回線上に出力する。
【００２０】
図４は、本発明の通信装置を制御するソフトウェアの変倍率決定に関する計算アルゴリズムを示すフローチャートである。回転後の画像メモリ３０５に関連づけられた画像情報（回転不要の場合は、画像メモリ３０３に関連づけられた元の画像情報）のうち、解像度を取得し、次に相手機能力に応じて決定した能力交換後の解像度と比較して、主走査方向および副走査方向の変倍率をそれぞれ計算する（ステップ４０１および表１）。
【００２１】
【表１】
2005223702.tif 000003
【００２２】
ここで計算された変倍率をＡｘ％およびＡｙ％とする。次に、同じく用紙サイズを取得し、次に相手機能力に応じて決定した能力交換後の用紙サイズと比較して、変倍率を計算する（ステップ４０２および表２）。
【００２３】
【表２】
2005223702.tif 000004
【００２４】
ここで計算された変倍率をＢ％とする。次に同じく副走査長＝ライン数を取得し、後述の分割判断処理を実行する（ステップ４０３）。分割判断処理で、分割が不要と判断した場合は、主走査方向の変倍率＝Ａｘ＊Ｂ、副走査方向の変倍率＝Ａｙ＊Ｂとして変倍率を決定する（ステップ４０５）。また、分割が必要と判断した場合は、ステップ４０４にて、主走査方向の変倍率＝Ａｘ＊Ｂ−Ｃ、副走査方向の変倍率＝Ａｙ＊Ｂ−Ｃとして変倍率決定する。
【００２５】
図５は、本発明の通信装置を制御するソフトウェアの分割変倍率決定に関する計算アルゴリズムを示すフローチャートである。最初に受信機と能力交換の際に、カット紙宣言がなされているか否かをステップ５０１において判断する。カット紙宣言がなされている場合は、ステップ５０２に進み、ユーザが分割することを許可しているか否か判断する。ステップ５０１においてカット紙宣言されていない場合または、また、ステップ５０２にてユーザが分割を許可していない場合は、ステップ５０３に進み、変倍率補正値Ｃを０として分割判断から抜ける。ユーザが分割許可されている場合は、ステップ５０４に進み、変倍率Ａｙ＊Ｂを副走査長（ライン数）にかけた変倍後のライン数を計算し、マージンありでカット紙に印字できるライン数ＷＭを越えているか判定する。ここでカット紙に印字できるライン数ＷＭを越えていない場合は、分割不要であるので、ステップ５０３に進み、変倍率補正値Ｃを０として分割判断から抜ける。次にステップ５０４にてマージンありでカット紙に印字できるライン数ＷＭを越えていると判断した場合、仮の分割単位をＷＭとして、ステップ５０５に進み、変倍率Ａｙ＊Ｂを副走査長（ライン数）にかけた変倍後のライン数を分割して行った場合の余りのライン数ＷＭＡを計算し、ステップ５０６に進む。ステップ５０６では、ＷＭＡが制限ライン数ＬＭより大きいか否かを判定する。余りのライン数ＷＭＡは画像データをＷＭラインで分割した場合の最終ページのライン数に相当する。このライン数が少ないと最終ページがほとんど余白となり、ページを無駄にしてしまう。そこで制限ラインＬＭは概ねＷＭの１／１０程度としておく。余りのライン数ＷＭＡが０であるか、制限ライン数ＬＭより大きい場合は、ステップ５０７に進み、分割単位をＷＭと決定し、変倍率補正無しで分割判断から抜ける。次に余りのライン数ＷＭＡが０以外で、制限ライン数ＬＭより小さい場合は、ステップ５０８に進む。ステップ５０８では、仮の分割単位をマージン無しでカット紙に印字できるライン数ＷＯＭを仮の分割単位として、前出の変倍後のライン数を分割して行った場合の余りのライン数ＷＯＭＡを計算し、ステップ５０９に進む。ステップ５０９では、ＷＯＭＡが制限ライン数ＬＭより大きいか否かを判定する。余りのライン数ＷＯＭＡが０であるか、制限ライン数ＬＭより大きい場合は、ステップ５０７に進み、分割単位をＷＯＭと決定し、変倍率補正無しで分割判断から抜ける。余りのライン数ＷＯＭＡが０以外で、制限ライン数ＬＭより小さい場合は、ステップ５１０に進み、ユーザが分割時に、自動縮小することを許可しているか否か判断する。ユーザが自動縮小を許可していない場合は、分割単位をＷＯＭと決定し、ステップ５０７に進む。一方ユーザが自動縮小を許可している場合は、ステップ５１１に進み、変倍率補正値Ｃを計算する。変倍率補正値は、たとえば以下のように計算する。副走査長を１０００で割った商（０．１％に対するライン数）で、余りのライン数ＷＭＡを割り、商に１／１０を乗ずる。次にステップ５１２に進み、分割単位をＷＭとして、変倍率補正値とともに、リターンする。例えば、元画像のライン数が４５００ラインとして、ＷＭが２２００ライン、ＷＯＭが２２２０ライン、ＬＭが２２０ラインとすると、ＷＭＡが１００ラインとして、変倍率補正計算に入る。この場合の補正値は、ＷＭＡ１００／（４５００／１０００）＝２２．２２となり、切り上げて２．３％縮小すると約４４００ラインとなり、１００ラインだけの無駄なページを抑制することができることがわかる。
【図面の簡単な説明】
【００２６】
【図１】通信装置のシステムの全体構成を示す図
【図２】通信装置の全体構成を示す図
【図３】通信装置のソフト動作の流れを示す図
【図４】通信装置の分割時処理のフローチャート
【図５】通信装置の分割判断のフローチャート
【符号の説明】
【００２７】
１０１  通信装置
１０２  ＬＡＮ
１０３  公衆電話網（ＰＳＴＮ）
１０４  ワークステーション（情報処理端末）
１０５  インターネットファクシミリ装置／ファクシミリ装置
１０６  プロバイダ
２０１  システムバス
２０２  ＲＯＭ
２０３  ＣＰＵ
２０４  ＲＡＭ
２０５  蓄積メモリ
２０６  ＬＡＮ  Ｉ／Ｆ部
２０７  回線Ｉ／Ｆ部
２０８  ＩＯ制御Ｂ部
２０９  ＩＯ制御Ａ部
２１０  画像バス
２１１  画像処理部
２１２  画像回転圧縮伸張部
２１３  プリンタ部
２１４  読み取り部
【図１】
2005223702.tif 000005
【図２】
2005223702.tif 000006
【図３】
2005223702.tif 000007
【図４】
2005223702.tif 000008
【図５】
2005223702.tif 000009